(57)【要約】      （修正有）【課題】デジタル放送受信装置が放送信号によりダウンロードしたプログラムを電子機器に転送し更新する際に、デジタル放送受信装置の処理負荷が増大せず、ダウンロードプログラムの転送や更新に長い時間を必要としない技術の実現。【解決手段】デジタル放送信号に含まれる告知情報から、前記デジタル放送信号とともに配信されるプログラムの配信予定情報を抽出する抽出手段と、前記配信予定情報に従ってダウンロードしたプログラムを保持する保持手段と、前記プログラムがダウンロードされたことを表示する表示手段と、前記デジタル放送受信装置の動作状態に応じて、前記電子機器の既存のプログラムを前記ダウンロードしたプログラムに更新する処理を前記デジタル放送受信装置において実行する装置側更新モードと、前記プログラムに更新する処理を前記電子機器において実行する機器側更新モードとを切り換える制御手段と、を有する。【選択図】図１
2010016486.tif 000002
【特許請求の範囲】
【請求項１】
デジタル放送信号を受信する機能を持たない電子機器が接続され、前記デジタル放送信号とともに配信される、前記電子機器で動作するプログラムをダウンロードするデジタル放送受信装置であって、
前記デジタル放送信号を受信する受信手段と、
前記デジタル放送信号に含まれる告知情報から、前記デジタル放送信号とともに配信されるプログラムの配信予定情報を抽出する抽出手段と、
前記配信予定情報に従ってダウンロードしたプログラムを保持する保持手段と、
前記プログラムがダウンロードされたことを表示する表示手段と、
前記デジタル放送受信装置の動作状態に応じて、前記電子機器の既存のプログラムを前記ダウンロードしたプログラムに更新する処理を前記デジタル放送受信装置において実行する装置側更新モードと、前記プログラムに更新する処理を前記電子機器において実行する機器側更新モードとを切り換える制御手段と、を有することを特徴とするデジタル放送受信装置。
【請求項２】
前記制御手段は、前記デジタル放送受信装置で番組視聴中の場合は、前記機器側更新モードに設定し、前記デジタル放送受信装置で番組視聴中でない場合は、前記装置側更新モードに設定することを特徴とする請求項１に記載のデジタル放送受信装置。
【請求項３】
前記機器側更新モードにおいて、前記電子機器は、前記デジタル放送受信装置に保持されているプログラムのバージョンと前記電子機器の既存のプログラムのバージョンとを比較し、前記デジタル放送受信装置に保持されているプログラムのバージョンが前記電子機器の既存のプログラムのバージョンより新しい場合に、プログラムの更新を実行することを特徴とする請求項１に記載のデジタル放送受信装置。
【請求項４】
前記装置側更新モードにおいて、前記デジタル放送受信装置は、前記デジタル放送受信装置に保持されているプログラムのバージョンと前記電子機器の既存のプログラムのバージョンとを比較し、前記デジタル放送受信装置に保持されているプログラムのバージョンが前記電子機器の既存のプログラムのバージョンより新しい場合に、プログラムの更新を実行することを特徴とする請求項１に記載のデジタル放送受信装置。
【請求項５】
前記表示手段は、前記ダウンロードしたプログラムの更新に関するメニューを表示し、
前記装置側更新モードでは、前記メニューを前記デジタル放送受信装置の表示部に表示することを特徴とする請求項１に記載のデジタル放送受信装置。
【請求項６】
前記表示手段は、前記ダウンロードしたプログラムの更新に関するメニューを表示し、
前記機器側更新モードでは、前記メニューを前記電子機器の表示部に表示させることを特徴とする請求項１に記載のデジタル放送受信装置。
【請求項７】
前記デジタル放送受信装置には、複数の前記電子機器が接続され、
前記電子機器ごとに前記ダウンロードしたプログラムの更新処理が実行されることを特徴とする請求項１乃至６のいずれか１項に記載のデジタル放送受信装置。
【請求項８】
デジタル放送信号を受信する機能を持たない電子機器が接続され、前記デジタル放送信号とともに配信される、前記電子機器で動作するプログラムをダウンロードするデジタル放送受信装置であって、
前記電子機器から当該電子機器に関する情報を取得する取得手段と、
前記デジタル放送信号に含まれる告知情報から、前記デジタル放送信号とともに配信されるプログラムの配信予定情報を抽出する抽出手段と、
前記電子機器に関する情報と前記プログラムの配信予定情報とに基づいて、前記プログラムをダウンロードする処理と、前記電子機器の既存のプログラムを前記ダウンロードしたプログラムに更新する処理とを実行するためのスケジュールを作成するスケジュール作成手段と、
前記作成されたスケジュールを表示する表示手段と、を有することを特徴とするデジタル放送受信装置。
【請求項９】
前記スケジュール作成手段は、複数の電子機器に対する前記ダウンロードしたプログラムの転送および／または更新の処理が重複しないようにスケジュールを作成することを特徴とする請求項８に記載のデジタル放送受信装置。
【請求項１０】
前記スケジュール作成手段は、前記電子機器に関する情報と前記プログラムの配信予定情報とに優先順位を付与して前記スケジュールを作成することを特徴とする請求項８に記載のデジタル放送受信装置。
【請求項１１】
前記スケジュール作成手段は、前記電子機器に関する情報と前記プログラムの配信予定情報とが変更された場合、当該変更された情報に基づいて再度スケジュールを作成することを特徴とする請求項８に記載のデジタル放送受信装置。
【請求項１２】
前記スケジュール作成手段は、前記プログラムのダウンロードと、前記電子機器に対する前記ダウンロードしたプログラムの転送および／または更新に要する時間を確保できない場合、前記優先順位を変更し当該変更された情報に基づいて再度スケジュールを作成することを特徴とする請求項１０に記載のデジタル放送受信装置。
【請求項１３】
前記スケジュール作成手段は、前記作成されたスケジュールに従った前記プログラムのダウンロードまたは前記ダウンロードしたプログラムの更新の処理が失敗した場合、前記スケジュールを変更することを特徴とする請求項８に記載のデジタル放送受信装置。
【請求項１４】
前記ダウンロードしたプログラムを保持する保持手段をさらに有し、
前記保持手段は、前記作成されたスケジュールに従ってダウンロードしたプログラムの更新の処理が成功した場合、前記プログラムを消去し、
前記ダウンロードしたプログラムの更新の処理が失敗した場合、前記プログラムを消去しないで保持しておくことを特徴とする請求項８に記載のデジタル放送受信装置。
【請求項１５】
前記配信予定情報は、前記プログラムのダウンロード開始日時情報および緊急度を含むことを特徴とする請求項８に記載のデジタル放送受信装置。
【請求項１６】
デジタル放送信号を受信する機能を持たない電子機器が接続され、前記デジタル放送信号とともに配信される、前記電子機器で動作するプログラムをダウンロードするデジタル放送受信装置の制御方法であって、
前記デジタル放送信号を受信する受信工程と、
前記デジタル放送信号に含まれる告知情報から、前記デジタル放送信号とともに配信されるプログラムの配信予定情報を抽出する抽出工程と、
前記配信予定情報に従ってダウンロードしたプログラムを保持する保持工程と、
前記プログラムがダウンロードされたことを表示する表示工程と、
前記デジタル放送受信装置の動作状態に応じて、前記電子機器の既存のプログラムを前記ダウンロードしたプログラムに更新する処理を前記デジタル放送受信装置において実行する装置側更新モードと、前記プログラムに更新する処理を前記電子機器において実行する機器側更新モードとを切り換える制御工程と、を有することを特徴とする制御方法。
【請求項１７】
デジタル放送信号を受信する機能を持たない電子機器が接続され、前記デジタル放送信号とともに配信される、前記電子機器で動作するプログラムをダウンロードするデジタル放送受信装置の制御方法であって、
前記電子機器から当該電子機器に関する情報を取得する取得工程と、
前記デジタル放送信号に含まれる告知情報から、前記デジタル放送信号とともに配信されるプログラムの配信予定情報を抽出する抽出工程と、
前記電子機器に関する情報と前記プログラムの配信予定情報とに基づいて、前記プログラムをダウンロードする処理と、前記電子機器の既存のプログラムを前記ダウンロードしたプログラムに更新する処理とを実行するためのスケジュールを作成するスケジュール作成工程と、
前記作成されたスケジュールを表示する表示工程と、を有することを特徴とする制御方法。
【請求項１８】
請求項１６または１７に記載の制御方法をコンピュータに実行させるためのプログラム。
【発明の詳細な説明】
【技術分野】
【０００１】
本発明は、デジタル放送信号とともに配信されるプログラムのダウンロードや更新を行う技術に関する。
【背景技術】
【０００２】
従来、デジタル放送受信装置でデジタル放送信号を受信する際に、当該装置だけではなく当該装置に接続された周辺機器で動作するプログラムデータなどをダウンロードし、該当する機器に転送して、プログラムを更新する技術が提案されている。
【０００３】
このような技術として、例えば、特許文献１には、デジタル放送受信装置が周辺機器識別情報とプログラムデータを放送信号で受信し、この識別情報に基づきデジタル放送受信装置が周辺機器のプログラムデータを書き換える技術が記載されている。また、特許文献２には、デジタル放送受信装置が放送信号からプログラムのバージョンアップ情報を抽出し、バージョンアップ情報に基づき対象となる周辺機器を特定してバージョンアップを行う技術が記載されている。また、バージョンアップと周辺機器の機能（例えば、予約録画）が重なった場合にバージョンアップを空き時間にずらすことが記載されている。
【特許文献１】特開２００４−１６４２３５号公報
【特許文献２】特開２００３−３１６５９６号公報
【発明の開示】
【発明が解決しようとする課題】
【０００４】
しかしながら、上述した従来の技術では、デジタル放送受信装置が放送信号によりダウンロードしたプログラムデータを周辺機器に転送し更新することを前提としている。そのため、ユーザが任意のタイミングで周辺機器に対してダウンロードプログラムを転送し更新を行う場合に発生する課題については考慮されていない。
【０００５】
この課題は、デジタル放送受信装置が放送信号受信中に、受信した放送信号に対して高画質化処理などの画像処理を行っている場合や、ダウンロードプログラムを使用して自身又は周辺機器に対して更新処理を実行している場合に発生する。この場合、デジタル放送受信装置の処理負荷が過多になってしまい、画像処理などに悪影響を及ぼしたり、周辺機器へのダウンロードプログラムの転送や更新に時間を要したりすることになる。
【０００６】
また、上述した従来の技術では、デジタル放送受信装置と接続する電子機器が複数ある場合に、機器ごとのプログラムのダウンロードや機器ごとにダウンロードプログラムの更新を行う際に発生する課題については考慮されていない。
【０００７】
すなわち、デジタル放送受信装置と接続する電子機器が増加するのに伴い、機器ごとのプログラムのダウンロードや機器ごとのダウンロードプログラムの更新処理が重複してしまうことや処理時間が増加してしまうことである。これは、デジタル放送受信装置や周辺機器の使用が制限される時間が増加するということである。
【０００８】
また、ユーザはダウンロードプログラムの転送や更新がいつ実行されるのか知ることができないことである。これは、転送や更新中にはその機器を使用できないからである。
【０００９】
本発明は、上述した課題を解決することを目的としている。
【課題を解決するための手段】
【００１０】
上記課題を解決するため、本発明のデジタル放送受信装置は、デジタル放送信号を受信する機能を持たない電子機器が接続され、前記デジタル放送信号とともに配信される、前記電子機器で動作するプログラムをダウンロードするデジタル放送受信装置であって、前記デジタル放送信号を受信する受信手段と、前記デジタル放送信号に含まれる告知情報から、前記デジタル放送信号とともに配信されるプログラムの配信予定情報を抽出する抽出手段と、前記配信予定情報に従ってダウンロードしたプログラムを保持する保持手段と、前記プログラムがダウンロードされたことを表示する表示手段と、前記デジタル放送受信装置の動作状態に応じて、前記電子機器の既存のプログラムを前記ダウンロードしたプログラムに更新する処理を前記デジタル放送受信装置において実行する装置側更新モードと、前記プログラムに更新する処理を前記電子機器において実行する機器側更新モードとを切り換える制御手段と、を有する。
【００１１】
また、本発明のデジタル放送受信装置は、デジタル放送信号を受信する機能を持たない電子機器が接続され、前記デジタル放送信号とともに配信される、前記電子機器で動作するプログラムをダウンロードするデジタル放送受信装置であって、前記電子機器から当該電子機器に関する情報を取得する取得手段と、前記デジタル放送信号に含まれる告知情報から、前記デジタル放送信号とともに配信されるプログラムの配信予定情報を抽出する抽出手段と、前記電子機器に関する情報と前記プログラムの配信予定情報とに基づいて、前記プログラムをダウンロードする処理と、前記電子機器の既存のプログラムを前記ダウンロードしたプログラムに更新する処理とを実行するためのスケジュールを作成するスケジュール作成手段と、前記作成されたスケジュールを表示する表示手段と、を有する。
【００１２】
また、本発明のデジタル放送受信装置の制御方法は、デジタル放送信号を受信する機能を持たない電子機器が接続され、前記デジタル放送信号とともに配信される、前記電子機器で動作するプログラムをダウンロードするデジタル放送受信装置の制御方法であって、前記デジタル放送信号を受信する受信工程と、前記デジタル放送信号に含まれる告知情報から、前記デジタル放送信号とともに配信されるプログラムの配信予定情報を抽出する抽出工程と、前記配信予定情報に従ってダウンロードしたプログラムを保持する保持工程と、前記プログラムがダウンロードされたことを表示する表示工程と、前記デジタル放送受信装置の動作状態に応じて、前記電子機器の既存のプログラムを前記ダウンロードしたプログラムに更新する処理を前記デジタル放送受信装置において実行する装置側更新モードと、前記プログラムに更新する処理を前記電子機器において実行する機器側更新モードとを切り換える制御工程と、を有する。
【００１３】
また、本発明のデジタル放送受信装置の制御方法は、デジタル放送信号を受信する機能を持たない電子機器が接続され、前記デジタル放送信号とともに配信される、前記電子機器で動作するプログラムをダウンロードするデジタル放送受信装置の制御方法であって、前記電子機器から当該電子機器に関する情報を取得する取得工程と、前記デジタル放送信号に含まれる告知情報から、前記デジタル放送信号とともに配信されるプログラムの配信予定情報を抽出する抽出工程と、前記電子機器に関する情報と前記プログラムの配信予定情報とに基づいて、前記プログラムをダウンロードする処理と、前記電子機器の既存のプログラムを前記ダウンロードしたプログラムに更新する処理とを実行するためのスケジュールを作成するスケジュール作成工程と、前記作成されたスケジュールを表示する表示工程と、を有する。
【発明の効果】
【００１４】
本発明によれば、デジタル放送受信装置の動作中は、電子機器においてダウンロードプログラムの更新を行うことで、デジタル放送受信装置の処理負荷が増加せず、画像処理などに悪影響を及ぼさず、ダウンロードプログラムの転送や更新に余計な時間がかることもなくなる。
【００１５】
また、電子機器ごとのプログラムのダウンロードやダウンロードプログラムの更新処理が重複しないようにスケジュールを作成できる。このため、デジタル放送受信装置と接続される電子機器が増加しても、プログラムのダウンロードや更新処理が重複したり、処理時間が増加してしまうことを防ぐことができる。
【００１６】
また、ダウンロードプログラムの転送や更新のスケジュールをユーザに告知することで、ユーザは周辺機器の使用が制限される時間を予め知っておくことができる。よって、ユーザは使用が制限される時間を考慮し、予測しながら機器を使用することが可能になり、あるとき突然使用する必要が生じたときに使用できないというような状況を回避することができる。
【発明を実施するための最良の形態】
【００１７】
以下に、添付図面を参照して本発明を実施するための最良の形態について詳細に説明する。
【００１８】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１９】
［第１の実施形態］
図１は、本発明に係る第１の実施形態のシステム構成を例示するブロック図である。
【００２０】
以下では、デジタル放送受信装置としてのデジタルテレビ１とデジタル放送信号（以下、放送信号）の受信機能を持たない電子機器としてのデジタルカメラ２とをワイヤレスＵＳＢ３を介して接続した構成について説明する。
【００２１】
また、本実施形態では、デジタルテレビ１が放送信号５によりダウンロードするデータを、デジタルカメラ２用の更新プログラムとする。
【００２２】
デジタルテレビ１はワイヤレスＵＳＢ３で接続されるデジタルカメラ２の機種を特定するための固有の識別情報である機種ＩＤを識別可能である。また、デジタルテレビ１とデジタルカメラ２は、予め相互に接続する対象機器が登録され又は認識している状態とする。
【００２３】
放送局４から配信される放送信号５に含まれるダウンロード（ＤＬ）告知情報によって、認識済みの機種ＩＤのデジタルカメラ２用の更新プログラムが放送信号５を介して配信されることが告知される。ダウンロード告知情報には、例えばダウンロード開始日時、開始時刻、持続時間などの配信予定情報や配信するプログラムの機種ＩＤが含まれている。
【００２４】
デジタルテレビ１はその告知された配信予定時刻にダウンロード可能であれば、プログラムデータを放送受信部６によりダウンロードする。ダウンロードしたプログラムデータは演算処理部７によって１つのファイルに再構成され、デジタルテレビ１の外部機器用メモリ８に記憶される。外部機器用メモリ８は、デジタルテレビ１の設定値などを保持しておくフラッシュメモリ９およびデジタルテレビ１のプログラムなどのワークエリアに使用するＲＡＭ１０と同一としてもよい。
【００２５】
次に、デジタルテレビ１は、デジタルカメラ２用の更新プログラムがダウンロードされたことを表示部１１に表示しユーザに報知する。
【００２６】
ここで、デジタルテレビ１が放送信号５を受信中、すなわちデジタルテレビ１で番組視聴中にダウンロードした更新プログラムを用いてデジタルカメラ２の既存プログラムを更新する場合について説明する。
【００２７】
まず、デジタルカメラ２を機器側更新モードに設定する。これにより、モード設定部１２がデジタルカメラ２のＵＳＢホスト部１３を起動し、同時にデジタルテレビ１に対してコマンド送信部１４からコマンドを送信する。このコマンドをコマンド受信部１５で受信したデジタルテレビ１は、受信したコマンドに従ってＵＳＢデバイス部１６を起動する。こうしてデジタルテレビ１とデジタルカメラ２がワイヤレスＵＳＢ３で接続される。
【００２８】
デジタルカメラ２の表示部１７にはプログラム更新用のメニューが表示され、ユーザはプログラム更新に関する各種操作を行うことができる。プログラム更新処理が開始されると、デジタルカメラ２はデジタルテレビ１の外部機器用メモリ８に記憶されているプログラムのバージョンとカメラ自身のフラッシュメモリ１８に記憶しているプログラムのバージョンとを比較する。そして、プログラムの更新が必要な場合にはプログラムの更新を実行する。ここで、プログラムの更新はデジタルカメラ２の演算処理部１９が実行する。これにより、デジタルテレビ１の演算処理部７の処理負荷は増加せず、デジタルテレビ１において放送信号受信中に行われている高画質化処理などの妨げにもならずプログラムを更新することができる。また、ユーザの操作に必要となるメニューもデジタルカメラ２に表示されるため、テレビ番組の視聴の妨げにもならなくなる。
【００２９】
次に、デジタルテレビ１でテレビ番組を視聴していないときに、ユーザが任意にデジタルカメラ２のプログラムを更新する場合について説明する。
【００３０】
デジタルテレビ１でテレビ番組を視聴していない場合にデジタルカメラ２のプログラムを更新する場合には、まず、デジタルテレビ１を装置側更新モードに設定する。これにより、モード設定部２０がデジタルテレビ１のＵＳＢホスト部２１を起動し、同時にデジタルカメラ２に対してコマンド送信部２２からコマンドを送信する。このコマンドをコマンド受信部２３で受信したデジタルカメラ２は、受信したコマンドに従ってＵＳＢデバイス部２４を起動する。こうしてデジタルテレビ１とデジタルカメラ２がワイヤレスＵＳＢ３で接続される。
【００３１】
デジタルテレビ１の表示部１１にはデジタルカメラ２のプログラム更新用のメニューが表示され、ユーザはプログラム更新に関する操作を行うことができる。プログラム更新処理が開始されると、デジタルテレビ１は外部機器用メモリ８に記憶されているプログラムのバージョンとデジタルカメラ２のフラッシュメモリ１８に記憶されているプログラムのバージョンとを比較する。そして、プログラムの更新が必要な場合にはプログラムの更新を実行する。ここでのプログラムの更新はデジタルテレビ１の演算処理部７が実行する。このようにデジタルカメラ２の演算処理部１９を使用しないので、デジタルカメラ２の電力消費を抑え、バッテリの消耗を防ぐことができる。
【００３２】
＜制御フロー＞
図２乃至図４は、本実施形態によるプログラム更新処理を示すフローチャートである。
【００３３】
図２において、デジタルテレビ１はワイヤレスＵＳＢ３で接続されるデジタルカメラ２の機種を特定するための機種ＩＤを識別し、予め相互に接続される対象機器を登録又は認識し、機種ＩＤを記憶しておく（Ｓ１）。
【００３４】
次に、放送局からの放送信号５に含まれるダウンロード（ＤＬ）告知情報によって、Ｓ１で記憶した機種ＩＤのデジタルカメラ２用の更新プログラムが放送信号５を介して配信されることが告知される（Ｓ２）。
【００３５】
デジタルテレビ１は告知された配信予定時刻に更新プログラムをダウンロードする（Ｓ３）。ダウンロードした更新プログラムはデジタルテレビ１の外部機器用メモリ８に記憶される（Ｓ４）。
【００３６】
また、更新プログラムがダウンロードされたことをデジタルテレビ１の表示部１１に表示しユーザに報知する（Ｓ５）。ここでは、例えば、「番組視聴中：カメラ側で操作してください。」や「テレビを更新モードに設定してください。」などのメッセージが表示される。
【００３７】
プログラム更新処理は、デジタルテレビ１の動作状態に応じて切り換えられる（Ｓ６）。すなわち、デジタルテレビ１で番組視聴中にプログラム更新処理を実行する場合、図３に示すように、デジタルカメラ２を機器側更新モードに設定する（Ｓ７）。
【００３８】
デジタルカメラ２が機器側更新モードに設定されると、デジタルカメラ２のＵＳＢホスト部１３が起動し、同時にデジタルテレビ１に対してコマンドを送信する。このコマンドを受信したデジタルテレビ１は、受信したコマンドに従ってＵＳＢデバイス部１６を起動する（Ｓ８ａ、Ｓ８ｂ）。
【００３９】
こうしてデジタルテレビ１とデジタルカメラ２がワイヤレスＵＳＢ３で接続される。ここで、デジタルカメラ２の表示部１７にプログラム更新用のメニューが表示され（Ｓ９）、ユーザはプログラム更新の操作を行うことができる。
【００４０】
プログラム更新処理が開始されると、デジタルカメラ２はデジタルテレビ１の外部機器用メモリ８に記憶されたプログラムバージョンを確認する（Ｓ１０）。すなわち、デジタルカメラ２は、デジタルテレビ１から送出されたプログラムバージョンとカメラ自身のフラッシュメモリ１８のプログラムバージョンとを比較する（Ｓ１１、Ｓ１２）。
【００４１】
デジタルカメラ２はデジタルテレビ１のプログラムバージョンがバージョンアップ版である場合にはプログラムの更新が必要であると判断する。そして、デジタルテレビ１から転送されたプログラムデータを使用してプログラムの更新処理を実行する（Ｓ１３、Ｓ１４）。デジタルカメラ２によるプログラム更新処理が終了すると、終了処理が実行されてＵＳＢデバイス部１６を停止する（Ｓ１５、Ｓ１６ａ、Ｓ１６ｂ）。
【００４２】
このように、番組視聴中は、プログラム更新処理をデジタルカメラ２で実行するので、デジタルテレビ１の処理負荷は増加せず、デジタルテレビ１で行われている高画質化処理などの妨げにならない。また、ユーザ操作に必要となるメニュー表示もデジタルカメラ２に表示されるため、テレビ番組の視聴の妨げになることもなくなる。
【００４３】
一方、デジタルテレビ１でテレビ番組を視聴していないときにデジタルカメラ２のプログラム更新処理を実施する場合（Ｓ６）、図４に示すように、デジタルテレビ１を装置側更新モードに設定する（Ｓ１７）。
【００４４】
デジタルテレビ１が装置側更新モードに設定されると、デジタルテレビ１のＵＳＢホスト部２１が起動し、同時にデジタルカメラ２に対してコマンドを送信する。このコマンドを受信したデジタルカメラ２は、受信したコマンドに従ってＵＳＢデバイス部２４を起動する（Ｓ１８ａ、Ｓ１８ｂ）。
【００４５】
こうしてデジタルテレビ１とデジタルカメラ２がワイヤレスＵＳＢ３で接続される。ここで、デジタルテレビ１の表示部１１にはプログラム更新用のメニューが表示され（Ｓ１９）、ユーザはプログラム更新に関する操作を行うことができる。
【００４６】
プログラム更新処理が開始されると、デジタルテレビ１はデジタルカメラ２のフラッシュメモリ１８に記憶されているプログラムバージョンの送出を要求する（Ｓ２０）。そして、デジタルテレビ１は、外部機器用メモリ８に記憶されているプログラムバージョンとデジタルカメラ２から送出されたプログラムバージョンとを比較する（Ｓ２１、Ｓ２２）。
【００４７】
そして、デジタルテレビ１は、デジタルカメラ２のプログラムの更新が必要であると判断した場合、デジタルテレビ１からデジタルカメラ２へプログラム更新データを転送してプログラムの更新処理を実行する（Ｓ２３、Ｓ２４）。ここでプログラムの更新処理を実行するのはデジタルテレビ１である（Ｓ２４）。デジタルテレビ１によるプログラム更新処理が終了すると（Ｓ２５）、終了処理が実行される（Ｓ２６ａ、Ｓ２６ｂ）。
【００４８】
このように、テレビ番組を視聴していない場合には、デジタルテレビ１でプログラム更新処理を実行するので、デジタルカメラ２の電力消費を抑え、バッテリの消耗を防ぐことができる。
【００４９】
なお、本実施形態では、放送信号５で受信するデータの一例として、デジタルカメラ２などの電子機器の更新プログラムについて説明したが、画像データなどのその他のデータでも本発明を実現可能である。また、本実施形態では、ワイヤレスＵＳＢによる接続を前提とした構成、一連の動作および設定を記述しているが、ワイヤレスに限らず、有線によるＵＳＢ接続の場合でも同様の構成、動作、設定が可能であり、同様の効果を達成できる。また、ＵＳＢでの接続に限らず、機器間の接続で用いられるＨＤＭＩやＩＥＥＥ１３９４といった接続方法でも本発明を実現可能であり、同様の効果を達成することができる。
【００５０】
［第２の実施形態］
次に、第２の実施形態として、デジタルテレビ１とデジタルカメラ２とをワイヤレスＵＳＢ３で接続し、さらに電子機器としてデジタルテレビ１とデジタルビデオカメラ２６とをＨＤＭＩ部２５を介して接続した場合について説明する。
【００５１】
図５は、本発明に係る第２の実施形態のシステム構成を例示するブロック図である。
【００５２】
なお、以下では、図１と同一の構成には同一の符号を付し、一連の動作や設定に関して重複する説明は省略する。
【００５３】
また、本実施形態では、デジタルテレビ１が放送信号５によりダウンロードするデータを、デジタルカメラ２およびビデオカメラ２６の更新プログラムとする。
【００５４】
図５において、デジタルテレビ１はデジタルカメラ２とビデオカメラ２６のそれぞれの機種を特定するための機種ＩＤを識別することが可能である。また、デジタルテレビ１とデジタルカメラ２またはビデオカメラ２６は、予め相互に接続する対象機器が登録され又は認識している状態とする。
【００５５】
ここで、デジタルテレビ１がＨＤＭＩ部２５を介してビデオカメラ２６のプログラム更新処理を実行中にデジタルカメラ２のプログラム更新処理を実施する場合、デジタルカメラ２を機器側更新モードに設定する。これにより、モード設定部１２がデジタルカメラ２のＵＳＢホスト部１３を起動し、同時にデジタルテレビ１に対してコマンド送信部１４からコマンドを送信する。このコマンドをコマンド受信部１５で受信したデジタルテレビ１は、受信したコマンドに従ってＵＳＢデバイス部１６を起動する。こうしてデジタルテレビ１とデジタルカメラ２がワイヤレスＵＳＢ３で接続される。
【００５６】
デジタルカメラ２の表示部１７にはプログラム更新用のメニューが表示され、ユーザはプログラム更新に関する各種操作を行うことができる。プログラム更新処理が開始されると、デジタルカメラ２はデジタルテレビ１の外部機器用メモリ８に記憶されているプログラムのバージョンとカメラ自身のフラッシュメモリ１８に記憶しているプログラムのバージョンとを比較する。そして、プログラムの更新が必要な場合にはプログラムの更新を実行する。ここでのプログラム更新処理はデジタルカメラ２の演算処理部１９が実行する。これにより、デジタルテレビ１の演算処理部７の処理負荷は増加せず、ＨＤＭＩ部２５を介して実行されているビデオカメラ２６のプログラム更新処理の妨げにもならず、デジタルカメラ２とビデオカメラ２６の両方のプログラムを更新することができる。また、ユーザ操作に必要となるメニューもデジタルカメラ２に表示されるため、デジタルテレビ１に複数の異なるプログラム更新用のメニューが表示されることもなく、それぞれの機器に対してプログラム更新処理を実行することができる。
【００５７】
なお、本実施形態では、ワイヤレスＵＳＢとＨＤＭＩによる接続を前提とした構成、一連の動作および設定を記述しているが、ワイヤレスに限らず、有線によるＵＳＢ接続の場合でも同様の構成、動作、設定が可能であり、同様の効果を達成できる。また、ＵＳＢとＨＤＭＩの組合せによる接続に限らず、機器間の接続で用いられるＨＤＭＩとＩＥＥＥ１３９４といった組合わせによる接続方法でも同様の構成で実現が可能であり、同様の効果を達成することができる。
【００５８】
［第３の実施形態］
次に、第３の実施形態として、デジタルテレビ１が放送信号５でデジタルカメラ２の更新プログラムをダウンロードする処理と、デジタルカメラ２のプログラムを更新する処理とを実行するためのスケジュールを作成する場合について説明する。
【００５９】
図６は、本発明に係る第３の実施形態のシステム構成を例示するブロック図である。
【００６０】
なお、以下では、図１と同一の構成には同一の符号を付し、一連の動作や設定に関して重複する説明は省略する。
【００６１】
また、本実施形態では、デジタルテレビ１が放送信号５によりダウンロードするデータを、デジタルカメラ２およびビデオカメラ２６の更新プログラムとする。
【００６２】
図６において、デジタルテレビ１はワイヤレスＵＳＢ３で接続されるデジタルカメラ２の機種を特定するための機種ＩＤを識別することが可能である。また、デジタルテレビ１とデジタルカメラ２は、予め相互に接続する対象機器が登録され又は認識している状態とする。
【００６３】
放送局４から配信される放送信号５に含まれるダウンロード告知情報によって、認識済みの機種ＩＤであるデジタルカメラ２用の更新プログラムが放送信号５を介して配信されることが告知される。デジタルテレビ１はダウンロード告知情報を放送受信部６により受信する。
【００６４】
デジタルテレビ１は、ダウンロード告知情報に含まれる自身および認識済みのデジタルカメラ２用の更新プログラムのダウンロードに関する情報を演算処理部７とパラメータ処理部２９により抽出する。ダウンロードに関する情報には、例えばダウンロード開始日時情報、開始時刻情報、持続時間、緊急度などの情報が含まれる。
【００６５】
また、デジタルテレビ１は、ダウンロード告知情報で告知された自身およびデジタルカメラ２の接続状態や使用状況やモード設定を確認するためのコマンドをデジタルカメラ２に送信する。デジタルテレビ１からコマンドを受信したデジタルカメラ２は、演算処理部１９とパラメータ作成部３３でコマンドに従った情報を作成し送信する。ここでのデジタルテレビ１とデジタルカメラ２の間の情報の授受は外部ＩＦ部２７，２８を介してワイヤレスＵＳＢ３により実行される。デジタルカメラ２から受信した情報はパラメータ処理部２９でパラメータ処理される。デジタルテレビ１は、スケジュール作成部３１によって、パラメータ処理部２９で処理された情報を用いて、予め決められたアルゴリズムに従い更新プログラムのダウンロードと更新のスケジュールを作成する。このスケジュールは、デジタルテレビ１とデジタルカメラ２の間で更新プログラムの転送処理と更新処理が重複しないように作成される。また、このスケジュールはデジタルテレビ１の表示部１１に表示され、ユーザにスケジュールを報知することができる。
【００６６】
これにより、ユーザは電子機器の使用が制限される時間を予め知っておくことができ、使用が制限される時間を考慮し、予測しながら機器を使用することが可能になる。よって、あるとき突然使用する必要が生じたときに使用できないというような状況を回避することができる。
【００６７】
デジタルテレビ１は作成されたスケジュールに従って配信予定時刻に更新プログラムを放送受信部６によってダウンロードする。外部機器用メモリ８は、デジタルテレビ１の設定値などを保持しておくフラッシュメモリ９およびデジタルテレビ１のプログラムなどのワークエリアに使用するＲＡＭ１０と同一としてもよい。
【００６８】
デジタルテレビ１はダウンロードしたプログラムを、予め作成されたスケジュールに従ってデジタルカメラ２に転送し更新を実行する。デジタルカメラ２は、プログラムの更新処理実行中は、表示部１１にその旨を表示し、ユーザに報知する。そして、デジタルカメラ２は、更新プログラムをフラッシュメモリ１８に展開しプログラムを更新する。このように更新プログラムのダウンロードおよび更新のスケジュールを作成することにより、デジタルテレビ１とデジタルカメラ２の間のプログラムの転送処理と更新処理が重複せず、テレビ１やカメラ２の状態や設定を考慮した処理を実行できる。また、複数の電子機器がデジタルテレビ１に接続されている場合であっても同様の効果を奏する。一旦作成されたスケジュールは、ダウンロード告知情報が更新された場合やデジタルテレビ１とデジタルカメラ２の状態や設定が変化した場合に変更される。
【００６９】
デジタルテレビ１とデジタルカメラ２は、上記変更されたパラメータを外部ＩＦ部２７，２８を介して通信を行う。デジタルテレビ１は、変更されたパラメータをパラメータ処理部２９で処理し、スケジュール管理部３２で既に作成してあるスケジュールを変更する。変更されたスケジュールは、デジタルテレビ１の表示部１１により、その都度ユーザに報知される。このように、テレビ１やカメラ２の状況が変化した場合でもスケジュールがそれに応じて変更され、ユーザに報知されるので、ユーザはその時々の最新のスケジュールを認識することができる。
【００７０】
なお、本実施形態では、放送信号５で受信するデータの一例として、デジタルカメラ２などの電子機器の更新プログラムについて説明したが、画像データなどのその他のデータであっても本発明を実現可能である。
【００７１】
また、本実施形態では、ワイヤレスＵＳＢによる接続を前提とした構成、一連の動作および設定を記述しているが、ワイヤレスに限らず、有線によるＵＳＢ接続の場合でも同様の構成、動作、設定が可能であり、同様の効果を達成できる。また、ＵＳＢでの接続に限らず、機器間の接続で用いられるＨＤＭＩやＩＥＥＥ１３９４といった接続方法でも本発明を実現可能であり、同様の効果を達成することができる。
【００７２】
＜制御フロー＞
図７および図８は、本実施形態によるスケジュールの作成処理およびプログラムのダウンロードおよび更新処理を示すフローチャートである。
【００７３】
図７において、デジタルテレビ１はワイヤレスＵＳＢ３で接続されるデジタルカメラ２の機種を特定するための機種ＩＤを識別し、予め相互に接続される対象機器を登録又は認識し、機種ＩＤを記憶しておく（Ｓ３１）。
【００７４】
次に、放送信号５に含まれるダウンロード告知情報によって、Ｓ３１で記憶した機種ＩＤのデジタルカメラ２用の更新プログラムが放送信号５を介して配信されることが告知される（Ｓ３２）。
【００７５】
デジタルテレビ１は、そのダウンロード告知情報に含まれる自身およびデジタルカメラ２用プログラムのダウンロードスケジュール（配信予定情報）を取得する（Ｓ３３）。
【００７６】
また、デジタルテレビ１は、デジタルカメラ２の接続機器情報や使用状況、モード設定（以下、機器情報）を確認するためのコマンドをデジタルカメラ２に送信する。ここで、接続機器情報には、固定機器（常時接続）、モバイル機器（随時接続）、接続の可否、機器側の状態（録画予約）などの情報が含まれる。デジタルテレビ１からコマンドを受信したデジタルカメラ２は、演算処理部１９とパラメータ作成部３３でコマンドに従った情報を作成し送信する。デジタルテレビ１は、Ｓ３３で取得したダウンロードスケジュールと、デジタルカメラ２から取得した機器情報に優先順位を付与する（Ｓ３４）。
【００７７】
デジタルテレビ１のスケジュール作成部３１は、上記ダウンロードスケジュールと機器情報とに基づいて、予め決められたアルゴリズムに従ってスケジュールを作成する。ここで作成されるスケジュールは、デジタルテレビ１とデジタルカメラ２の間でプログラムの転送処理および更新処理が重複しないように作成される（Ｓ３５）。
【００７８】
また、Ｓ３５において、ダウンロード数と更新に要する時間からダウンロードや更新に十分な時間を確保したスケジュールが作成できない場合（Ｓ３６）、Ｓ３７からＳ４１に移行する。
【００７９】
デジタルテレビ１は、ダウンロード告知情報のダウンロードスケジュールのうち翌日もダウンロード可能なスケジュールを除外し（Ｓ３７）、ダウンロードと更新のスケジュールを再作成する（Ｓ３８）。再度作成されたスケジュールでもまだダウンロードや更新に十分な時間を確保したスケジュールを作成できない場合（Ｓ３９）には、接続されていない機器や使用頻度の低い機器の優先度を下げるようにして優先順位を再度付与する（Ｓ４０）。その後、ダウンロードと更新のスケジュールを再度作成する（Ｓ４１）。スケジュールが作成可能になるまでＳ３９からＳ４１までを繰り返し行う。
【００８０】
このようにして作成されたスケジュールはデジタルテレビ１の表示部１１に表示され（Ｓ４２）、ユーザに報知することができる。これにより、ユーザは機器の使用が制限される時間を予め知っておくことができ、使用が制限される時間を考慮し、予測しながら機器を使用することが可能になり、あるとき突然使用する必要が生じたときに使用できないというような状況を回避することができる。
【００８１】
デジタルテレビ１は、作成されたスケジュールに従い更新プログラムをダウンロードする（Ｓ４３）。デジタルテレビ１は作成したスケジュール通りに更新プログラムをダウンロードできたか判断する（Ｓ４４）。そして、ダウンロードが成功した場合にはダウンロードしたプログラムを外部機器用メモリ８に保持し（Ｓ４５）、デジタルカメラ２に対して更新プログラムを転送する（Ｓ４６）。
【００８２】
デジタルカメラ２では、デジタルテレビ１から転送された更新プログラムを使用してプログラム更新処理を実行する（Ｓ４７）。
【００８３】
デジタルカメラ２はプログラムの更新が正常に実行できたか否か、つまり更新の成否をデジタルテレビ１に通知する（Ｓ４８）。ここでプログラムの更新に失敗していない場合には（Ｓ４９）、デジタルテレビ１は外部機器用メモリ８に保持されたプログラムを消去する（Ｓ５０）。一方、更新処理中の不具合や機器の使用中などで、デジタルカメラ２からプログラムの更新に失敗した旨の通知を受信した場合には（Ｓ４９）、デジタルテレビ１は外部機器用メモリ８に更新プログラムを消去せずに保持しておく（Ｓ５１）。
【００８４】
そして、Ｓ４５でダウンロードに失敗したプログラムのダウンロードと、Ｓ４７で更新に失敗したプログラムの更新が翌日に繰り越されるように再度スケジュールを作成する（Ｓ５２）。
【００８５】
このようにして更新プログラムのダウンロードと更新が行われることで、プログラムのダウンロードや更新の漏れを防ぐことが可能になる。
【００８６】
＜デジタルテレビに接続される電子機器＞
図９はデジタルテレビ１に接続される電子機器を例示している。
【００８７】
図９では、デジタルテレビに接続可能であるが、放送信号を受信する機能を持たない電子機器として、再生機、デジタルカメラ、ビデオカメラを例示している。デジタルテレビ１は番組視聴予約などの視聴優先モードに設定されており、再生機とデジタルカメラはデジタルテレビと接続可能な状態となっている。また、ビデオカメラは、デジタルテレビに接続可能な電子機器として認識済みであるが接続可能な状態とはなっていない。
【００８８】
図１０は図９に示す電子機器の接続状態において、更新プログラムのダウンロードと更新のスケジュールを作成する場合に付与される優先順位を例示している。
【００８９】
デジタルテレビは、放送信号に含まれるダウンロード告知情報から、電子機器のメーカを特定するための情報と、機器を特定するための情報と、それぞれの機器のプログラムの配信予定時刻と、緊急度とをパラメータとして取り上げる。これらのパラメータは、ダウンロード告知情報により告知された電子機器のそれぞれの接続状態とモード設定と共に、スケジュールを作成するために使用される。それぞれの機器のパラメータには優先順位が付与される。図１０に示す例では、配信予定時刻について今日はダウンロード可能であるが明日はダウンロード不可能となるプログラムを最優先し、次に緊急度の高いもの、その次にデジタルテレビの視聴優先モードを優先してスケジュールを作成している。これにより、デジタルテレビに接続される電子機器が増加し、それぞれの電子機器用の更新プログラムをダウンロードし、電子機器へ転送しおよび／または更新を実行する場合であっても、これらの処理の実行が重複してしまうことを防ぐことができる。
【００９０】
図１１は図９に示す接続状態において、デジタルテレビに表示されるスケジュールの表示例と、デジタルテレビの動作例を示している。
【００９１】
デジタルテレビで作成されたスケジュールは、実行時刻が早い順序で配列され、その実行時刻と共にデジタルテレビに表示される。それぞれの実行時刻には、現在接続されていない機器であるが、プログラム更新の優先順位が高い場合には、その旨の警告が表示される。デジタルテレビの番組視聴予約時刻以前に更新開始時刻となりデジタルカメラのプログラム更新時刻とが重複している場合には、デジタルカメラのプログラム更新処理を優先する旨が表示され、実行される。他の機器のプログラム更新処理は、デジタルテレビの番組視聴予約時刻が終了した後に実行される。これにより、ユーザは機器の使用が制限される時間を予め知っておくことができ、使用が制限される時間を考慮し、予測しながら機器を使用することが可能になり、あるとき突然使用する必要が生じたときに使用できないというような状況を回避することができる。
【００９２】
［第４の実施形態］
次に、第４の実施形態として、既に作成されたスケジュールに従いプログラムのダウンロードと更新が実行される途中で、スケジュールが変更された場合について説明する。
【００９３】
図１２は既に作成されたスケジュールに従いプログラムのダウンロードと更新が実行される途中で、スケジュールが変更された場合の動作を示すフローチャートである。
【００９４】
なお、以下では、図７と同一の処理には同一の符号を付して重複する説明は省略する。
【００９５】
図１２において、デジタルカメラ２の機器情報が変更された場合、デジタルカメラ２は変更後の情報をデジタルテレビ１に送信する。デジタルテレビ１はデジタルカメラ２から受信した機器情報に応じて、デジタルカメラ２に関する既存のパラメータを変更する（Ｓ５２）。
【００９６】
次に、デジタルテレビ１は、変更後のパラメータに基づいて優先順位を再度付与する（Ｓ５３）。その後、ダウンロードと更新のスケジュールを再度作成する（Ｓ５４）。このようにして再作成されたスケジュールはデジタルテレビ１の表示部１１に表示され（Ｓ５５）、ユーザに最新のスケジュールを報知することができる。
【００９７】
スケジュールの再作成は、Ｓ５２で変更後の機器情報をデジタルテレビ１が受信した場合のほか、放送信号５に含まれるダウンロード告知情報が更新された場合やデジタルテレビ１のモード設定が変更された場合などでも実行される。
【００９８】
また、スケジュールが再作成された場合には、再作成された最新のスケジュールがデジタルテレビ１に表示される。
【００９９】
［他の実施形態］
本発明は、前述した実施形態の機能を実現するコンピュータプログラムを、システムあるいは装置に直接あるいは遠隔から供給することによって達成される場合も含む。その場合、システム等のコンピュータが該コンピュータプログラムを読み出して実行することになる。
【０１００】
従って、本発明の機能処理をコンピュータで実現するために、該コンピュータにインストールされるコンピュータプログラム自体も本発明を実現するものである。その場合、プログラムの機能を有していれば、オブジェクトコード、インタプリタにより実行されるプログラム、ＯＳに供給するスクリプトデータ等の形態であっても良い。
【０１０１】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【０１０２】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するコンピュータプログラムを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【０１０３】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【０１０４】
また、コンピュータが、読み出したプログラムを実行することによって、前述した実施形態の機能が実現される他、そのプログラムの指示に基づき、コンピュータ上で稼動しているＯＳ等が、実際の処理の一部又は全部を行うことによっても実現され得る。
【０１０５】
更に、記録媒体から読み出されたプログラムが、コンピュータに挿入された機能拡張ボードやコンピュータに接続された機能拡張ユニットのメモリに書き込まれた後、該ボード等のＣＰＵ等が実際の処理の一部又は全部を行うことによっても実現される。
【図面の簡単な説明】
【０１０６】
【図１】本発明に係る第１の実施形態のシステム構成を例示するブロック図である。
【図２】本実施形態によるプログラム更新処理を示すフローチャートである。
【図３】本実施形態によるプログラム更新処理を示すフローチャートである。
【図４】本実施形態によるプログラム更新処理を示すフローチャートである。
【図５】本発明に係る第２の実施形態のシステム構成を例示するブロック図である。
【図６】本発明に係る第３の実施形態のシステム構成を例示するブロック図である。
【図７】本実施形態によるスケジュールの作成処理およびプログラムのダウンロードおよび更新処理を示すフローチャートである。
【図８】本実施形態によるスケジュールの作成処理およびプログラムのダウンロードおよび更新処理を示すフローチャートである。
【図９】デジタルテレビに接続される電子機器を例示する図である。
【図１０】図９に示す電子機器の接続状態において、更新プログラムのダウンロードと更新のスケジュールを作成する場合に付与される優先順位を例示する図である。
【図１１】図９に示す接続状態において、デジタルテレビに表示されるスケジュールの表示例と、デジタルテレビの動作例を示す図である。
【図１２】第４の実施形態によるスケジュールが変更された場合の処理を示すフローチャートである。
【符号の説明】
【０１０７】
１  デジタルテレビ
２  デジタルカメラ
３  ワイヤレスＵＳＢ
４  放送局
５  デジタル放送信号
６  デジタルテレビの放送受信部
７  デジタルテレビの演算処理部
８  デジタルテレビ内部の外部機器用メモリ
９  デジタルテレビのフラッシュメモリ
１０  デジタルテレビのＲＡＭ
１１  デジタルテレビの表示部
１２  デジタルカメラのモード設定部
１３  デジタルカメラのＵＳＢホスト部
１４  デジタルカメラのコマンド送信部
１５  デジタルテレビのコマンド受信部
１６  デジタルテレビのＵＳＢデバイス部
１７  デジタルカメラの表示部
１８  デジタルカメラのフラッシュメモリ
１９  デジタルカメラの演算処理部
２０  デジタルテレビのモード設定部
２１  デジタルテレビのＵＳＢホスト部
２２  デジタルテレビのコマンド送信部
２３  デジタルカメラのコマンド受信部
２４  デジタルカメラのＵＳＢデバイス部
２５  デジタルテレビのＨＤＭＩ部
２６  デジタルビデオカメラ
２７  デジタルテレビの外部ＩＦ部
２８  デジタルカメラの外部ＩＦ部
２９  デジタルテレビのパラメータ処理部
３１  デジタルテレビのスケジュール作成部
３２  デジタルテレビのスケジュール管理部
３３  デジタルカメラのパラメータ作成部
【図１】
2010016486.tif 000003
【図２】
2010016486.tif 000004
【図３】
2010016486.tif 000005
【図４】
2010016486.tif 000006
【図５】
2010016486.tif 000007
【図６】
2010016486.tif 000008
【図７】
2010016486.tif 000009
【図８】
2010016486.tif 000010
【図９】
2010016486.tif 000011
【図１０】
2010016486.tif 000012
【図１１】
2010016486.tif 000013
【図１２】
2010016486.tif 000014